(57)【要約】【課題】槽洗浄に使用する水の量を節約しつつ、効率よく槽洗浄できると共に槽洗浄の時間を短縮できる洗濯機を提供する。【解決手段】洗濯機は、水槽(２)と、水槽(２)内に回転可能に収容された回転槽(３)と、回転槽(３)を回転駆動する駆動装置(３０)と、水槽(２)の内周面または回転槽(３)の外周面の少なくとも回転槽(３)の外周面に対してシャワー状に水を供給するシャワー給水装置(７１,７２,９０,９１ａ)と、駆動装置(３０)とシャワー給水装置(７１,７２,９０,９１ａ)を制御する制御装置とを備える。【選択図】図２
2018143363.tif 000002
【特許請求の範囲】
【請求項１】
水槽と、
上記水槽内に回転可能に収容された回転槽と、
上記回転槽を回転駆動する駆動装置と、
上記水槽の内周面または上記回転槽の外周面の少なくとも上記回転槽の外周面に対してシャワー状に水を供給するシャワー給水装置と、
上記駆動装置と上記シャワー給水装置を制御する制御装置と
を備えたことを特徴とする洗濯機。
【請求項２】
請求項１に記載の洗濯機において、
上記回転槽は、下端から上端に向かって徐々に内径が大きくなる筒状の無孔周壁を有することを特徴とする洗濯機。
【請求項３】
請求項２に記載の洗濯機において、
上記水槽内に温風を供給することにより上記水槽内の洗濯物を乾燥させる乾燥装置を備え、
上記制御装置は、上記シャワー給水装置と上記乾燥装置を制御して、上記乾燥装置による乾燥運転前に、上記シャワー給水装置により外部からの風呂水をシャワー状に供給することを特徴とする洗濯機。
【請求項４】
請求項１から３までのいずれか１つに記載の洗濯機において、
上記制御装置は、上記駆動装置を制御して、上記シャワー給水装置によりシャワー状に水を供給するときに上記回転槽を回転させることを特徴とする洗濯機。
【請求項５】
請求項４に記載の洗濯機において、
上記制御装置は、上記シャワー給水装置によりシャワー状に水を供給するとき、上記回転槽の回転数が変化するように上記駆動装置を制御することを特徴とする洗濯機。
【請求項６】
請求項４または５に記載の洗濯機において、
上記制御装置は、上記シャワー給水装置によりシャワー状に水を供給するとき、上記回転槽の回転方向が少なくとも１回反転するように上記駆動装置を制御することを特徴とする洗濯機。
【請求項７】
請求項１から６までのいずれか１つに記載の洗濯機において、
上記シャワー給水装置は、上記水槽の内周面および上記回転槽の外周面に対してシャワー状に水を供給することを特徴とする洗濯機。
【発明の詳細な説明】
【技術分野】
【０００１】
この発明は、洗濯機に関する。
【背景技術】
【０００２】
従来、洗濯機としては、回転槽の外側や水槽の内側に付着した洗剤や石けん等の汚れを洗い落とすための槽洗浄コースを備えたものがある(例えば、特開２０１６−１６５３５８号公報(特許文献１)参照)。
【０００３】
上記洗濯機の槽洗浄コースでは、まず、給水工程において、水槽内に洗濯時よりも多い水量の水を入れ、次に、洗い工程で撹拌体を正逆両方向に間欠的に回転させる。そして、次のつけ置き工程において、所定時間つけ置きを行った後、排水工程で水槽内の水を排水してから、給水工程で再び水槽内に洗濯時よりも多い水量の水を入れて、次のすすぎ工程で撹拌体を正逆両方向に間欠的に回転させる。その後、脱水工程において、水槽内の水を排出しながら回転槽を回転させた後、槽洗浄コースを終了する。
【先行技術文献】
【特許文献】
【０００４】
【特許文献１】特開２０１６−１６５３５８号公報
【発明の概要】
【発明が解決しようとする課題】
【０００５】
上記従来の洗濯機の槽洗浄コースでは、水槽内に洗濯時より多い水量の水を入れるため、槽洗浄に多量の水を使用する必要があるという問題や、水槽内への給水や排水を繰り返す工程を含む複数の工程を行うため、槽洗浄を効率よく短時間で行うことができないという問題がある。
【０００６】
そこで、この発明の課題は、槽洗浄に使用する水の量を節約しつつ、効率よく槽洗浄できると共に槽洗浄の時間を短縮できる洗濯機を提供することにある。
【課題を解決するための手段】
【０００７】
この発明の一態様に係る洗濯機は、
水槽と、
上記水槽内に回転可能に収容された回転槽と、
上記水槽の内周面または上記回転槽の外周面の少なくとも上記回転槽の外周面に対してシャワー状に水を供給するシャワー給水装置と
を備えたことを特徴とする。
【発明の効果】
【０００８】
以上より明らかなように、この発明によれば、水槽の内周面または回転槽の外周面の少なくとも回転槽の外周面に対して、シャワー給水装置によりシャワー状に水を供給することによって、槽洗浄に使用する水の量を節約しつつ、効率よく槽洗浄できると共に槽洗浄の時間を短縮できる洗濯機を実現することができる。
【図面の簡単な説明】
【０００９】
【図１】図１はこの発明の第１実施形態の洗濯機の一例としての縦型洗濯乾燥機の斜視図である。
【図２】図２は上記縦型洗濯乾燥機を側方から見た縦断面図である。
【図３】図３は上記縦型洗濯乾燥機の制御ブロック図である。
【図４】図４は上記縦型洗濯乾燥機の制御装置の動作を説明するフローチャートである。
【図５】図５はこの発明の第２実施形態の洗濯機の一例としての縦型洗濯乾燥機の制御装置の動作を説明するフローチャートである。
【図６】図６はこの発明の第３実施形態の洗濯機の一例としての縦型洗濯乾燥機を側方から見た縦断面図である。
【図７】図７は上記縦型洗濯乾燥機の制御ブロック図である。
【図８】図８は上記縦型洗濯乾燥機の制御装置の動作を説明するフローチャートである。
【発明を実施するための形態】
【００１０】
以下、この発明の洗濯機を図示の実施の形態により詳細に説明する。
【００１１】
〔第１実施形態〕
図１はこの発明の第１実施形態の洗濯機の一例としての縦型洗濯乾燥機の外観を示す斜視図を示している。
【００１２】
この第１実施形態の縦型洗濯乾燥機は、図１に示すように、金属または合成樹脂製の本体ケーシング１と、水槽２(図２に示す)の開口を開閉する上蓋４と、本体ケーシング１の上面に設けられた操作表示部５とを備える。操作表示部５によって、運転動作を選択指示入力すると共に運転状態を表示する。
【００１３】
また、図２は上記縦型洗濯乾燥機を側方から見た縦断面図を示している。
【００１４】
図２に示すように、金属または合成樹脂製の本体ケーシング１は、直方体形状に成形され、その上面および底面は開口部となっている。本体ケーシング１の上面開口部には操作表示部５等が設けられた合成樹脂製の上面板１１が固定されている。一方、本体ケーシング１の底面開口部には、合成樹脂製のベース１２が固定されている。
【００１５】
上記縦型洗濯乾燥機内に洗濯物を投入するための洗濯物投入口１ａを上面板１１に設けている。その洗濯物投入口１ａを開閉する上蓋４を、縦型洗濯乾燥機の奧側で上面板１１に回動可能に支持している。上蓋４を上下に回動させて洗濯物投入口１ａを開閉する。
【００１６】
また、本体ケーシング１内には、回転槽３とその回転槽３を収納する水槽２を配置している。回転槽３は、洗剤を溶かした水またはすすぎ用の水を溜める。水槽２および回転槽３は、上側が開口した有底筒状のカップの形状をしており、各々中心軸を垂直にして、水槽２を外側とし、回転槽３を内側とする形で同軸に配置されている。
【００１７】
上記回転槽３は、下端から上端に向かって徐々に内径が大きくなる筒状の無孔周壁３ａを有する。また、回転槽３の上部開口部の縁に、洗濯物の脱水のために回転槽３を高速回転させたときに振動を抑制する働きをする環状のバランサ４０を装着している。また、回転槽３内の底面に攪拌翼２０を回転可能に配置している。
【００１８】
また、本体ケーシング１内の水槽２の下側に、クラッチ・ブレーキ機構３１と駆動モータ３２とを有する駆動ユニット３０を取り付けている。駆動ユニット３０は、駆動装置の一例である。また、クラッチ・ブレーキ機構３１の回転軸３１ａの先端に攪拌翼２０を取り付けている。
【００１９】
上記縦型洗濯乾燥機は、送風ファン用モータ５１(図３に示す)とヒータ５２(図３に示す)を有する乾燥装置(図示せず)を備えている。
【００２０】
また、上記縦型洗濯乾燥機は、本体ケーシング１内の上側かつ後面側に配置された第１給水弁８０と風呂ポンプ９０および風呂給水装置９１を備えている。
【００２１】
上記第１給水弁８０に給水経路６１を接続している。この給水経路６１の下側に、洗剤を収容する洗剤ケース６２を着脱可能に取り付けている。また、洗剤ケース６２の後面側と下側に沿って給水経路６３を設けている。
【００２２】
また、上記縦型洗濯乾燥機は、風呂給水装置９１に接続された給水配管７１と、給水配管７１の先端に設けられたシャワーノズル７２とを備えている。
【００２３】
上記風呂給水装置９１は、風呂ポンプ９０からの風呂水を給水配管７１を介してシャワーノズル７２に供給するための第２給水弁９１ａと、風呂ポンプ９０からの風呂水を洗剤ケース６２を介して回転槽３内に供給するための第３給水弁９１ｂとを有する。
【００２４】
また、上記風呂ポンプ９０と、風呂給水装置９１の第２給水弁９１ａと、給水配管７１と、シャワーノズル７２とでシャワー給水装置を構成している。
【００２５】
＜給水＞
第１給水弁８０を開状態にすると、第１給水弁８０を介して供給された水道水は、給水経路６１から洗剤ケース６２内に給水された後、給水経路６３を介して給水口６３ａから流れ出て回転槽３内に流入する。なお、洗濯工程における給水では、洗剤と一緒に水が給水経路６３を介して給水口６３ａから流れ出る。
【００２６】
ここで、水道水の代わりに、第３給水弁９１ｂを開状態にして、風呂ポンプ９０を駆動することにより、風呂ポンプ９０から第３給水弁９１ｂを介して供給された風呂水を、給水経路６１と洗剤ケース６２と給水経路６３を介して回転槽３内に供給してもよい。
【００２７】
＜槽洗浄＞
風呂ポンプ９０を駆動すると、風呂水が、給水配管７１とシャワーノズル７２を介して円錐状のシャワーとなって回転槽３の外周面と水槽２の内周面との間に吹き出す。
【００２８】
なお、このシャワーノズル７２からの円錐状のシャワー水の中心軸が、回転槽３の外周面側に傾くように、シャワーノズル７２の吹き出し方向を設定することで、回転槽３の外周面の広い範囲にシャワー水を供給可能にしている。
【００２９】
なお、上記縦型洗濯乾燥機は、水道水を図示しない給水弁と給水配管およびシャワーノズル７２を介して回転槽３の外周面と水槽２の内周面との間に吹き出すようにしてもよい。
【００３０】
このシャワーノズル７２は、ノズル本体に設けられた絞りにより生じた高圧水が吐出口から円錐状または扇状に広がるように噴射される。
【００３１】
また、図３は上記縦型洗濯乾燥機の制御ブロック図を示している。この縦型洗濯乾燥機は、図３に示すように、マイクロコンピュータおよび入出力回路などからなる制御装置１００を備えている。この制御装置１００は、操作部５ａと表示部５ｂを有する操作表示部５と、水位センサ２１と、温度センサ２２と、湿度センサ２３と、扉開閉センサ２４と、クラッチ・ブレーキ機構３１と、駆動モータ３２と、送風ファン用モータ５１と、ヒータ５２と、第１給水弁８０と、風呂ポンプ９０と、第２給水弁９１ａおよび第３給水弁９１ｂが接続されている。制御装置１００は、操作部５ａ,水位センサ２１,温度センサ２２,湿度センサ２３,扉開閉センサ２４からの信号に基づいて、表示部５ｂ,クラッチ・ブレーキ機構３１,駆動モータ３２,送風ファン用モータ５１,ヒータ５２,第１給水弁８０および風呂ポンプ９０,第２給水弁９１ａおよび第３給水弁９１ｂなどを制御する。
【００３２】
上記制御装置１００は、第１給水弁８０と風呂ポンプ９０と第２給水弁９１ａおよび第３給水弁９１ｂを制御する給水制御部１００ａと、駆動ユニット３０などを制御する駆動制御部１００ｂと、運転動作に関わる時間などを計時するためのタイマ１００ｃを有する。
【００３３】
次に、上記縦型洗濯乾燥機の制御装置１００の動作を図４に示すフローチャートに従って説明する。
【００３４】
図４に示す動作は、洗濯工程、すすぎ工程、脱水工程、乾燥工程を順に行う洗濯乾燥運転である。
【００３５】
まず、上記縦型洗濯乾燥機において洗濯乾燥運転がスタートすると、図４に示すステップＳ１０１で洗濯工程を行う。
【００３６】
次に、ステップＳ１０２に進み、すすぎ工程を行う。
【００３７】
次に、ステップＳ１０３に進み、脱水工程を行う。この脱水工程では、下端から上端に向かって徐々に内径が大きくなる筒状の無孔周壁を有する回転槽３を回転させて、回転槽３内の水を遠心力により無孔周壁の内周面の傾斜に沿って上方に移動させて上端側から排水する。
【００３８】
次に、ステップＳ１０４に進み、タイマ１００ｃをスタートする。
【００３９】
次に、ステップＳ１０５に進み、風呂ポンプ９０の運転を開始する。この風呂ポンプ９０の運転の開始により、外部からの風呂水が、給水配管７１とシャワーノズル７２を介して円錐状または扇状のシャワーとなって回転槽３の外周面と水槽２の内周面との間に吹き出す。
【００４０】
次に、ステップＳ１０６に進み、駆動ユニット３０を制御して回転槽３の回転を開始する。ここで、制御装置１００の駆動制御部１００ｂは、回転方向のうちの一方向に所定の回転数で回転槽３を回転させる。
【００４１】
次に、ステップＳ１０７に進み、タイマ１００ｃの計時Ｔｍ１が予め設定された槽洗浄時間Ｔ１以上と判定すると、ステップＳ１０８に進む一方、タイマ１００ｃの計時Ｔｍ１が槽洗浄時間Ｔ１未満である判定すると、ステップＳ１０７を繰り返す。
【００４２】
そして、ステップＳ１０８では、風呂ポンプ９０の運転を停止する。
【００４３】
次に、ステップＳ１０９に進み、駆動ユニット３０を制御して回転槽３の回転を停止する。
【００４４】
次に、ステップＳ１１０に進み、乾燥工程を実施し、この処理を終了する。
【００４５】
上記ステップＳ１０４〜Ｓ１０９で＜槽洗浄＞が行われる。
【００４６】
上記構成の縦型洗濯乾燥機によれば、シャワー給水装置(７１,７２,９０,９１ａ)により、水槽２の内周面および回転槽３の外周面に対してシャワー状に水を供給することによって、水槽２の内周面および回転槽３の外周面の広い範囲を洗浄することが可能になる。
【００４７】
また、上記シャワー給水装置(７１,７２,９０,９１ａ)によりシャワー状に水を供給するとき、制御装置１００により駆動装置３０を制御して回転槽３を回転させることによって、回転槽３の外周面全体を洗浄することが可能になる。さらに、回転槽３の外周面にかかった水を回転槽３の回転に伴って供回りさせながら遠心力により水槽２の内周面側に飛ばして、水槽２の内周面全体に渡って水がかかるようにすることで、水槽２の内周面全体を洗浄することが可能になる。
【００４８】
したがって、水槽２内に洗濯時よりも多い水量の水を入れて攪拌する従来の洗濯機に比べて、槽洗浄に使用する水の量を節約することができる。さらに、水槽２内への給水や排水を繰り返す複数の工程を行うことなく、効率よく槽洗浄ができ、槽洗浄の時間を短縮することができる。
【００４９】
また、シャワーノズル７２から粒状の水滴を勢いよく拡散噴射させることにより、従来の流出口からの水が自然落下により流れ落ちる場合に比べて、吹き付ける水圧により洗浄効果を高めることができる。
【００５０】
また、下端から上端に向かって徐々に内径が大きくなる筒状の無孔周壁３ａを有する回転槽３を用いることによって、シャワー給水装置(７１,７２,９０,９１ａ)により、回転槽３の外周面に対してシャワー状に水を供給しても、回転槽３内への水の侵入を防ぐので、洗濯工程とすすぎ工程の後の脱水工程が終了した後に槽洗浄を行っても回転槽３内の洗濯物が濡れることがない。
【００５１】
また、無孔周壁３ａを有する回転槽３を用いることによって、乾燥装置(５１,５２)によって水槽２内に温風を供給することにより回転槽３内の洗濯物を乾燥させる乾燥運転前に、シャワー給水装置(７１,７２,９０,９１ａ)により外部からの風呂水をシャワー状に供給するので、水槽２の内周面および回転槽３の外周面が風呂水で温められて、回転槽３内の温度が上がり、次の乾燥運転において回転槽３内の温度の立ち上がりが早くなり、回転槽３内の洗濯物を速やかに暖めるので、乾燥運転の効率が向上すると共に、乾燥時間を短縮することができる。
【００５２】
また、上記第１実施形態では、水槽２と回転槽３との間に１つのシャワーノズル７２を設けたが、水槽と回転槽との間かつ周方向に間隔をあけて複数のシャワーノズルを設けてもよい。この場合、複数のシャワーノズルを槽洗浄に最適な位置に配置することにより、回転槽を回転しないで回転槽３の外周面全体および水槽２の内周面全体を洗浄することが可能になる。
【００５３】
〔第２実施形態〕
図５はこの発明の第２実施形態の洗濯機の一例としての縦型洗濯乾燥機の制御装置１００の動作を説明するフローチャートを示している。この第２実施形態の縦型洗濯乾燥機は、制御装置１００の動作を除いて第１実施形態の縦型洗濯乾燥機と同一の構成をしており、図１〜図３を援用する。
【００５４】
この第２実施形態の縦型洗濯乾燥機の制御装置１００の動作を図５に示すフローチャートに従って説明する。
【００５５】
図５に示す動作は、洗濯工程、すすぎ工程、脱水工程、乾燥工程を順に行う洗濯乾燥運転である。
【００５６】
まず、洗濯乾燥運転がスタートすると、図５に示すステップＳ２０１で洗濯工程を行う。
【００５７】
次に、ステップＳ２０２に進み、すすぎ工程を行う。
【００５８】
次に、ステップＳ２０３に進み、脱水工程を行う。この脱水工程では、下端から上端に向かって徐々に内径が大きくなる筒状の無孔周壁３ａを有する回転槽３を回転させて、回転槽３内の水を遠心力により無孔周壁の内周面の傾斜に沿って上方に移動させて上端側から排水する。
【００５９】
次に、ステップＳ２０４に進み、タイマ１００ｃをスタートする。
【００６０】
次に、ステップＳ２０５に進み、風呂ポンプ９０の運転を開始する。この風呂ポンプ９０の運転の開始により、外部からの風呂水が、給水配管７１とシャワーノズル７２を介して円錐状または扇状のシャワーとなって回転槽３の外周面と水槽２の内周面との間に吹き出す。
【００６１】
次に、ステップＳ２０６に進み、駆動ユニット３０を制御して回転槽３の回転を開始する。ここで、制御装置１００の駆動制御部１００ｂは、回転方向のうちの一方向に所定の回転数で回転槽３を回転させる。
【００６２】
次に、ステップＳ２０７に進み、制御装置１００により駆動ユニット３０を制御して、回転槽３の回転を制御する。ここで、回転槽３の回転数を周期的に高低に変化させる。
【００６３】
また、ステップＳ２０８でタイマ１００ｃの計時Ｔｍ２が予め設定された槽洗浄時間Ｔ２以上と判定すると、ステップＳ２０９に進む一方、タイマ１００ｃの計時Ｔｍ２が槽洗浄時間Ｔ２未満である判定すると、ステップＳ２０７に戻る。
【００６４】
そして、ステップＳ２０９では、風呂ポンプ９０の運転を停止する。
【００６５】
次に、ステップＳ２１０に進み、駆動ユニット３０を制御して回転槽３の回転を停止する。
【００６６】
次に、ステップＳ２１１に進み、乾燥工程を実施し、この処理を終了する。
【００６７】
上記ステップＳ２０４〜Ｓ２１０で＜槽洗浄＞が行われる。
【００６８】
ここで、回転槽３の回転数を周期的に高低に変化させることによって、回転槽３の回転数の高低に応じて、回転槽３の回転による遠心力が大小に変化し、回転槽３の外周面にかかった水が水槽２の内周面側に飛ばされる範囲が変化する。
【００６９】
上記第２実施形態では、＜槽洗浄＞において、制御装置１００により回転槽３の回転数が変化するように駆動装置３０を制御することによって、回転槽３から飛ばされて水槽２の内周面にかかる水の分布に偏りが生じないようにでき、水槽２の内周面全体を均一に洗浄することが可能になる。
【００７０】
なお、＜槽洗浄＞において、制御装置１００によって回転槽３の回転方向が少なくとも１回反転するように駆動装置３０を制御してもよいし、回転槽３の回転方向が所定時間毎に交互に反転するように制御装置１００により駆動装置３０を制御してもよい。これによって、水槽２の内周面にかかる水の分布に、回転槽３の一方向の回転に起因する偏りが生じないようにでき、水槽２の内周面全体を均一に洗浄することが可能になる。
【００７１】
上記第２実施形態の縦型洗濯乾燥機は、第１実施形態の縦型洗濯乾燥機と同様の効果を有する。
【００７２】
〔第３実施形態〕
図６はこの発明の第３実施形態の洗濯機の一例としての縦型洗濯乾燥機を側方から見た縦断面図を示している。この第３実施形態の縦型洗濯乾燥機は、給水装置１８０を除いて第１実施形態の縦型洗濯乾燥機と同一の構成をしており、図１を援用する。
【００７３】
この第３実施形態の縦型洗濯乾燥機は、図６に示すように、本体ケーシング１内の上側かつ後面側に配置された給水装置１８０を備えている。この給水装置１８０は、第１給水弁１８１と第２給水弁１８２を有する。
【００７４】
＜給水＞
上記第１給水弁１８１に給水経路６１が接続されている。この給水経路６１の下側に、洗剤を収容する洗剤ケース６２を着脱可能に取り付けている。また、洗剤ケース６２の後面側と下側に沿って給水経路６３を設けている。
【００７５】
第１給水弁１８１を開状態にすると、第１給水弁１８１を介して供給された水道水は、給水経路６１から洗剤ケース６２内に給水された後、給水経路６３を介して給水口６３ａから流れ出でて回転槽３内に流入する。なお、洗濯工程における給水では、洗剤と一緒に水が給水経路６３を介して給水口６３ａから流れ出る。
【００７６】
＜槽洗浄＞
上記縦型洗濯乾燥機は、第２給水弁１８２と、その第２給水弁１８２に接続された給水配管７１と、その給水配管７１の先端に設けられたシャワーノズル７２とを有するシャワー給水装置を備えている。第２給水弁１８２を開状態にすると、第２給水弁１８２を介して供給された水道水が、給水配管７１とシャワーノズル７２を介して円錐状のシャワーとなって回転槽３の外周面と水槽２の内周面との間に吹き出す。
【００７７】
図７は上記縦型洗濯乾燥機の制御ブロック図を示している。この縦型洗濯乾燥機は、図７に示すように、マイクロコンピュータおよび入出力回路などからなる制御装置２００を備えている。この制御装置２００は、操作部５ａと表示部５ｂを有する操作表示部５と、水位センサ２１と、温度センサ２２と、湿度センサ２３と、扉開閉センサ２４と、クラッチ・ブレーキ機構３１と、駆動モータ３２と、送風ファン用モータ５１と、ヒータ５２と、第１給水弁１８１および第２給水弁１８２が接続されている。制御装置２００は、操作部５ａ,水位センサ２１,温度センサ２２,湿度センサ２３,扉開閉センサ２４からの信号に基づいて、表示部５ｂ,クラッチ・ブレーキ機構３１,駆動モータ３２,送風ファン用モータ５１,ヒータ５２,第１給水弁１８１および第２給水弁１８２などを制御する。
【００７８】
上記制御装置２００は、第１給水弁１８１および第２給水弁１８２を制御する給水制御部２００ａと、駆動ユニット３０などを制御する駆動制御部２００ｂと、各種運転動作に関わる時間などを計時するためのタイマ２００ｃを有する。
【００７９】
次に、上記縦型洗濯乾燥機の制御装置２００の動作を図８に示すフローチャートに従って説明する。
【００８０】
図８に示す動作は、洗濯工程、すすぎ工程、脱水工程、乾燥工程を順に行う洗濯乾燥運転である。
【００８１】
まず、上記縦型洗濯乾燥機において洗濯乾燥運転がスタートすると、図８に示すステップＳ３０１で洗濯工程を行う。
【００８２】
次に、ステップＳ３０２に進み、すすぎ工程を行う。
【００８３】
次に、ステップＳ３０３に進み、脱水工程を行う。
【００８４】
次に、ステップＳ３０４に進み、タイマ２００ｃをスタートする。
【００８５】
次に、ステップＳ３０５に進み、第２給水弁１８２を開く。この第２給水弁１８２を開くことにより、水道水が、給水配管７１とシャワーノズル７２を介して円錐状または扇状のシャワーとなって回転槽３の外周面と水槽２の内周面との間に吹き出す。
【００８６】
次に、ステップＳ３０６に進み、駆動ユニット３０を制御して回転槽３の回転を開始する。ここで、制御装置２００の駆動制御部２００ｂは、回転方向のうちの一方向に所定の回転数で回転槽３を回転させる。
【００８７】
次に、ステップＳ３０７に進み、タイマ２００ｃの計時Ｔｍ１が予め設定された槽洗浄時間Ｔ３以上と判定すると、ステップＳ３０８に進む一方、タイマ２００ｃの計時Ｔｍ１が槽洗浄時間Ｔ３未満である判定すると、ステップＳ３０７を繰り返す。
【００８８】
そして、ステップＳ３０８では、第２給水弁１８２を閉じる。
【００８９】
次に、ステップＳ３０９に進み、駆動ユニット３０を制御して回転槽３の回転を停止する。
【００９０】
次に、ステップＳ３１０に進み、乾燥工程を実施し、この処理を終了する。
【００９１】
上記ステップＳ３０４〜Ｓ３０９で＜槽洗浄＞が行われる。
【００９２】
上記構成の縦型洗濯乾燥機によれば、シャワー給水装置(７１,７２,１８２)により、水槽２の内周面および回転槽３の外周面に対してシャワー状に水を供給することによって、水槽２の内周面および回転槽３の外周面の広い範囲を洗浄することが可能になる。
【００９３】
また、上記シャワー給水装置(７１,７２,１８２)によりシャワー状に水を供給するとき、制御装置２００により駆動装置３０を制御して回転槽３を回転させることによって、回転槽３の外周面全体を洗浄することが可能になる。さらに、回転槽３の外周面にかかった水を回転槽３の回転に伴って供回りさせながら遠心力により水槽２の内周面側に飛ばして、水槽２の内周面全体に渡って水がかかるようにすることで、水槽２の内周面全体を洗浄することが可能になる。
【００９４】
したがって、水槽２内に洗濯時よりも多い水量の水を入れて攪拌する従来の洗濯機に比べて、槽洗浄に使用する水の量を節約することができる。さらに、水槽２内への給水や排水を繰り返す複数の工程を行うことなく、効率よく槽洗浄ができ、槽洗浄の時間を短縮することができる。
【００９５】
また、シャワーノズル７２から粒状の水滴を勢いよく拡散噴射させることにより、従来の流出口からの水が自然落下により流れ落ちる場合に比べて、吹き付ける水圧により洗浄効果を高めることができる。
【００９６】
また、下端から上端に向かって徐々に内径が大きくなる筒状の無孔周壁３ａを有する回転槽３を用いることによって、シャワー給水装置(７１,７２,１８２)により、回転槽３の外周面に対してシャワー状に水を供給しても、回転槽３内への水の侵入を防ぐので、洗濯工程とすすぎ工程の後の脱水工程が終了した後に槽洗浄を行っても回転槽３内の洗濯物が濡れることがない。
【００９７】
また、上記第３実施形態では、水槽２と回転槽３との間に１つのシャワーノズル７２を設けたが、水槽と回転槽との間かつ周方向に間隔をあけて複数のシャワーノズルを設けてもよい。
【００９８】
上記第１〜第３実施形態では、乾燥装置を備えた縦型洗濯乾燥機について説明したが、乾燥装置を備えていない縦型洗濯機にこの発明を適用してもよい。この場合、洗濯工程とすすぎ工程の後の脱水工程が終了した後に、回転槽３内の洗濯物を濡らすことなく槽洗浄を行うことができる。
【００９９】
また、上記第１〜第３実施形態では、送風ファン用モータ５１とヒータ５２を有する乾燥装置を備えた縦型洗濯乾燥機について説明したが、乾燥装置はこれに限らず、ヒートポンプユニットを用いた乾燥装置を備えた洗濯機にこの発明を適用してもよい。
【０１００】
また、上記第１〜第３実施形態では、縦型洗濯乾燥機について説明したが、ドラム式洗濯機やドラム式洗濯乾燥機などにこの発明を適用してもよい。
【０１０１】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【０１０２】
この発明および実施形態をまとめると、次のようになる。
【０１０３】
この発明の一態様に係る洗濯機は、
水槽２と、
上記水槽２内に回転可能に収容された回転槽３と、
上記回転槽３を回転駆動する駆動装置３０と、
上記水槽２の内周面または上記回転槽３の外周面の少なくとも上記回転槽３の外周面に対してシャワー状に水を供給するシャワー給水装置(７１,７２,９０,９１ａ,１８２)と、
上記駆動装置３０と上記シャワー給水装置(７１,７２,９０,９１ａ,１８２)を制御する制御装置１００,２００と
を備えたことを特徴とする。
【０１０４】
上記構成によれば、制御装置１００,２００によりシャワー給水装置(７１,７２,９０,９１ａ,１８２)を制御して、シャワー給水装置(７１,７２,９０,９１ａ,１８２)により、水槽２の内周面または回転槽３の外周面の少なくとも回転槽３の外周面に対してシャワー状に水を供給することによって、水槽２の内周面または回転槽３の外周面の少なくとも回転槽３の外周面の広い範囲を洗浄することが可能になる。このとき、制御装置１００,２００により駆動装置３０を制御して、駆動装置３０により回転槽３を回転駆動することで、回転槽３の外周面全体を洗浄することが可能になる。
【０１０５】
また、シャワー給水装置(７１,７２,９０,９１ａ,１８２)により、水槽２の内周面および回転槽３の外周面に対してシャワー状に水を供給することによって、水槽２の内周面および回転槽３の外周面の広い範囲を洗浄することが可能になる。この場合、駆動装置３０により回転槽３を回転駆動することで、回転槽３の外周面にかかった水が回転槽３の回転に伴って供回りしながら遠心力により水槽２の内周面側に飛ばされる。このようにして、水槽２の内周面の全周に渡って水がかかるようにすることで、水槽２の内周面全体を洗浄することが可能になる。
【０１０６】
したがって、水槽２内に洗濯時よりも多い水量の水を入れて攪拌する従来の洗濯機に比べて、槽洗浄に使用する水の量を節約することができる。さらに、水槽２内への給水や排水を繰り返す複数の工程を行うことなく、効率よく槽洗浄ができ、槽洗浄の時間を短縮できる。
【０１０７】
また、一実施形態の洗濯機では、
上記回転槽３は、下端から上端に向かって徐々に内径が大きくなる筒状の無孔周壁３ａを有する。
【０１０８】
上記実施形態によれば、下端から上端に向かって徐々に内径が大きくなる筒状の無孔周壁３ａを有する回転槽３を用いることによって、シャワー給水装置(７１,７２,９０,９１ａ,１８２)により、回転槽３の外周面に対してシャワー状に水を供給しても、回転槽３内への水の侵入を防ぐので、例えば、洗濯工程とすすぎ工程の後の脱水工程が終了した後に槽洗浄を行っても回転槽３内の洗濯物が濡れることがない。
【０１０９】
なお、脱水工程では、下端から上端に向かって徐々に内径が大きくなる筒状の無孔周壁を有する回転槽３を回転させて、回転槽３内の水を遠心力により無孔周壁の内周面の傾斜に沿って上方に移動させて上端側から排水する。
【０１１０】
また、一実施形態の洗濯機では、
上記水槽２内に温風を供給することにより上記水槽２内の洗濯物を乾燥させる乾燥装置(５１,５２)を備え、
上記制御装置１００,２００は、上記シャワー給水装置(７１,７２,９０,９１ａ)と上記乾燥装置(５１,５２)を制御して、上記乾燥装置(５１,５２)による乾燥運転前に、上記シャワー給水装置(７１,７２,９０,９１ａ)により外部からの風呂水をシャワー状に供給する。
【０１１１】
上記実施形態によれば、乾燥装置(５１,５２)によって水槽２内に温風を供給することにより回転槽３内の洗濯物を乾燥させる乾燥運転前に、制御装置１００,２００により制御されたシャワー給水装置(７１,７２,９０,９１ａ)により外部からの風呂水をシャワー状に供給するので、水槽２の内周面または回転槽３の外周面の少なくとも回転槽３が風呂水で温められて、回転槽３内の温度が上がり、次の乾燥運転において回転槽３内の温度の立ち上がりが早くなり、回転槽３内の洗濯物を速やかに暖めるので、乾燥運転の効率が向上すると共に、乾燥時間を短縮できる。
【０１１２】
また、一実施形態の洗濯機では、
上記制御装置１００,２００は、上記駆動装置３０を制御して、上記シャワー給水装置(７１,７２,９０,９１ａ,１８２)によりシャワー状に水を供給するときに上記回転槽３を回転させる。
【０１１３】
上記実施形態によれば、シャワー給水装置(７１,７２,９０,９１ａ,１８２)によりシャワー状に水を供給するとき、制御装置１００,２００により駆動装置３０を制御して回転槽３を回転させることによって、回転槽３の外周面全体を洗浄することが可能になる。さらに、回転槽３の外周面にかかった水を回転槽３の回転に伴って供回りさせながら遠心力により水槽２の内周面側に飛ばして、水槽２の内周面全体に渡って水がかかるようにすることで、水槽２の内周面全体を洗浄することが可能になる。
【０１１４】
また、一実施形態の洗濯機では、
上記制御装置１００,２００は、上記シャワー給水装置(７１,７２,９０,９１ａ,１８２)によりシャワー状に水を供給するとき、上記回転槽３の回転数が変化するように上記駆動装置３０を制御する。
【０１１５】
上記実施形態によれば、シャワー給水装置(７１,７２,９０,９１ａ,１８２)によりシャワー状に供給された水が回転槽３の外周面にかかって、回転槽３の回転に伴って供回りさせながら遠心力により水槽２の内周面側に飛ばされるとき、回転槽３の回転数が変化するように制御装置１００,２００により駆動装置３０を制御する。これによって、水槽２の内周面にかかる水の分布に偏りが生じないようにでき、水槽２の内周面全体を均一に洗浄することが可能になる。
【０１１６】
また、一実施形態の洗濯機では、
上記制御装置１００,２００は、上記シャワー給水装置(７１,７２,９０,９１ａ,１８２)によりシャワー状に水を供給するとき、上記回転槽３の回転方向が少なくとも１回反転するように上記駆動装置３０を制御する。
【０１１７】
上記実施形態によれば、シャワー給水装置(７１,７２,９０,９１ａ,１８２)によりシャワー状に供給された水が回転槽３の外周面にかかって、回転槽３の回転に伴って供回りさせながら遠心力により水槽２の内周面側に飛ばされるとき、回転槽３の回転方向が少なくとも１回反転するように制御装置１００,２００により駆動装置３０を制御する。これによって、水槽２の内周面にかかる水の分布に、回転槽３の一方向の回転に起因する偏りが生じないようにでき、水槽２の内周面全体を均一に洗浄することが可能になる。
【０１１８】
また、一実施形態の洗濯機では、
上記シャワー給水装置(７１,７２,９０,９１ａ,１８２)は、上記水槽２の内周面および上記回転槽３の外周面に対してシャワー状に水を供給する。
【０１１９】
上記実施形態によれば、シャワー給水装置(７１,７２,９０,９１ａ,１８２)は、水槽２の内周面および回転槽３の外周面に対してシャワー状に水を供給することによって、回転槽３の外周面だけでなく水槽２の内周面の広い範囲を洗浄することが可能になる。
【符号の説明】
【０１２０】
１…本体ケーシング
２…水槽
３…回転槽
３ａ…筒状の無孔周壁
４…上蓋
５…操作表示部
５ａ…操作部
５ｂ…表示部
１１…上面板
１２…ベース
２０…攪拌翼
２１…水位センサ
２２…温度センサ
２３…湿度センサ
２４…扉開閉センサ
３０…駆動ユニット
３１…クラッチ・ブレーキ機構
３２…駆動モータ
４０…バランサ
５１…送風ファン用モータ
５２…ヒータ
６１…給水経路
６２…洗剤ケース
６３…給水経路
７１…給水配管
７２…シャワーノズル
８０…第１給水弁
９０…風呂ポンプ
９１…風呂給水装置
９１ａ…第２給水弁
９１ｂ…第３給水弁
１００,２００…制御装置
１００ａ,２００ａ…給水制御部
１００ｂ,２００ｂ…駆動制御部
１００ｃ,２００ｃ…タイマ
１８０…給水装置
１８１…第１給水弁
１８２…第２給水弁
【図１】
2018143363.tif 000003
【図２】
2018143363.tif 000004
【図３】
2018143363.tif 000005
【図４】
2018143363.tif 000006
【図５】
2018143363.tif 000007
【図６】
2018143363.tif 000008
【図７】
2018143363.tif 000009
【図８】
2018143363.tif 000010